(57)【要約】【課題】  少ない発光素子で看板全体を効率よく照らすことのできる看板の提供。【解決手段】  断面中空の看板本体１と照明ユニット２とを備え、看板本体１は、背面に照明ユニット２が配設される透明な凹陥部３を有し、且つ凹陥部３を除く背面に光反射部４を有し、照明ユニット２は、複数の発光素子５ａ，５ｂ，５ｃが配設してあり、照明ユニット２の発光素子の照射光８が看板本体の光反射部４で反射され、看板本体１の正面を反射光９，１０で照明する。【選択図】      図１
2011221375.tif 000002
【特許請求の範囲】
【請求項１】
断面中空の看板本体と照明ユニットとを備え、看板本体は、背面に照明ユニットが配設される透明な凹陥部を有し、且つ凹陥部を除く背面に光反射部を有し、照明ユニットは、複数の発光素子が配設してあり、照明ユニットの発光素子の照射光が看板本体の光反射部で反射され、看板本体の正面を反射光で照明することを特徴とする看板。
【請求項２】
光反射部は、看板本体の凹陥部の近傍より外周側に向かうにつれて正面側に傾斜していることを特徴とする請求項１記載の看板。
【請求項３】
照明ユニットは、凹陥部の長手方向に間隔をおいて複数設けてあり、各照明ユニットに発光素子が凹陥部の長手方向に並べて配設してあり、長手方向端部の発光素子は凹陥部の長手方向に直交する方向に対して外側に傾けて配設してあることを特徴とする請求項１又は２記載の看板。
【請求項４】
照明ユニットの発光素子の配設密度が長手方向中央部よりも長手方向端部で大きいことを特徴とする請求項１，２又は３記載の看板。
【請求項５】
照明ユニットは、正面側に光拡散部を有することを特徴とする請求項１，２，３又は４記載の看板。
【請求項６】
照明ユニットは、発光素子が背面側に傾けて配設してあることを特徴とする請求項１，２，３，４又は５記載の看板。
【請求項７】
照明ユニットは、発光素子の照射光が反射及び透過し得る看板本体の外周側に向けて開放した光反射・透過部材を有することを特徴とする請求項１，２，３，４，５又は６記載の看板。
【請求項８】
照明ユニットは、発光素子が凹陥部の長手方向に直交する方向に偶数列設けてあり、奇数列目の発光素子は正面側の凹陥部の長手方向に直交する方向の一方側に傾けて取付けてあり、偶数列目の発光素子は正面側の凹陥部の長手方向に直交する方向の他方側に傾けて取付けてあることを特徴とする請求項１，２，３，４又は５記載の看板。
【請求項９】
中間の列の発光素子の数を両端の列の発光素子の数よりも少なくしたことを特徴とする請求項８記載の看板。
【発明の詳細な説明】
【技術分野】
【０００１】
本発明は、背面側に設けた光源により照らされる看板に関する。
【背景技術】
【０００２】
コンビニエンスストア用の看板として特許文献１には、合成樹脂により形成された断面中空の看板本体の背面側に凹陥部を設け、凹陥部に照明用薄型光源モジュールを収容したものが記載されている。照明用薄型光源モジュールとしては、浅い箱状の容器の底面にＬＥＤチップを上下・左右均等に多数並べて配置している。
上記特許文献１記載の構造によれば、大きな看板を全面的に発光させるために、非常にたくさんのＬＥＤチップが必要になり、コストが高くなる。またＬＥＤチップは、正面に向けて一定の角度範囲でしか光を照射しないため、看板の上部や下部が暗くなる不都合があった。
【先行技術文献】
【特許文献】
【０００３】
【特許文献１】特開２００９−６３８００号公報
【発明の概要】
【発明が解決しようとする課題】
【０００４】
本発明は以上に述べた実情に鑑み、少ない発光素子で看板全体を効率よく照らすことのできる看板の提供を目的とする。
【課題を解決するための手段】
【０００５】
上記の課題を達成するために請求項１記載の発明による看板は、断面中空の看板本体と照明ユニットとを備え、看板本体は、背面に照明ユニットが配設される透明な凹陥部を有し、且つ凹陥部を除く背面に光反射部を有し、照明ユニットは、複数の発光素子が配設してあり、照明ユニットの発光素子の照射光が看板本体の光反射部で反射され、看板本体の正面を反射光で照明することを特徴とする。
【０００６】
請求項２記載の発明による看板は、請求項１記載の発明の構成に加え、光反射部は、看板本体の凹陥部の近傍より外周側に向かうにつれて正面側に傾斜していることを特徴とする。
【０００７】
請求項３記載の発明による看板は、請求項１又は２記載の発明の構成に加え、照明ユニットは、凹陥部の長手方向に間隔をおいて複数設けてあり、各照明ユニットに発光素子が凹陥部の長手方向に並べて配設してあり、長手方向端部の発光素子は凹陥部の長手方向に直交する方向に対して外側に傾けて配設してあることを特徴とする。
【０００８】
請求項４記載の発明による看板は、請求項１，２又は３記載の発明の構成に加え、照明ユニットの発光素子の配設密度が長手方向中央部よりも長手方向端部で大きいことを特徴とする。
【０００９】
請求項５記載の発明による看板は、請求項１，２，３又は４記載の発明の構成に加え、照明ユニットは、正面側に光拡散部を有することを特徴とする。
【００１０】
請求項６記載の発明による看板は、請求項１，２，３，４又は５記載の発明の構成に加え、照明ユニットは、発光素子が背面側に傾けて配設してあることを特徴とする。
【００１１】
請求項７記載の発明による看板は、請求項１，２，３，４，５又は６記載の発明の構成に加え、照明ユニットは、発光素子の照射光が反射及び透過し得る看板本体の外周側に向けて開放した光反射・透過部材を有することを特徴とする。
【００１２】
請求項８記載の発明による看板は、請求項１，２，３，４又は５記載の発明の構成に加え、照明ユニットは、発光素子が凹陥部の長手方向に直交する方向に偶数列設けてあり、奇数列目の発光素子は正面側の凹陥部の長手方向に直交する方向の一方側に傾けて取付けてあり、偶数列目の発光素子は正面側の凹陥部の長手方向に直交する方向の他方側に傾けて取付けてあることを特徴とする。
【００１３】
請求項９記載の発明による看板は、請求項８記載の発明の構成に加え、中間の列の発光素子の数を両端の列の発光素子の数よりも少なくしたことを特徴とする。
【発明の効果】
【００１４】
請求項１記載の発明による看板は、看板本体の背面に照明ユニットが配設される透明な凹陥部を有し、且つ凹陥部を除く背面に光反射部を有し、照明ユニットは、複数の発光素子が配設してあり、照明ユニットの発光素子の照射光が看板本体の光反射部で反射され、看板本体の正面を反射光で照明するようにしたので、少ない発光素子で看板本体の正面を効率よく均一に照らすことができる。また、看板本体の凹陥部に照明ユニットを配設するだけなので、看板の設置やメンテナンスが容易に行える。看板本体に開口部を設ける必要がないため、看板本体内に雨水や虫等が浸入することがない。
【００１５】
請求項２記載の発明による看板は、光反射部が看板本体の凹陥部の近傍より外周側に向かうにつれて正面側に傾斜していることで、発光素子の照射光を光反射部により看板本体の正面に向けて効率よく反射させることができる。
【００１６】
請求項３記載の発明による看板は、照明ユニットが凹陥部の長手方向に間隔をおいて複数設けてあることで、長い看板に対応することができ、さらに各照明ユニットに発光素子が凹陥部の長手方向に並べて配設してあり、長手方向端部の発光素子は凹陥部の長手方向に直交する方向に対して外側に傾けて配設してあることで、看板本体の長手方向端部や照明ユニット同士の間もむらなく照らすことができる。
【００１７】
請求項４記載の発明による看板は、照明ユニットの発光素子の配設密度が長手方向中央部よりも長手方向端部で大きいことで、看板本体の長手方向端部や照明ユニット同士の間の光むらを防止する効果を高められる。
【００１８】
請求項５記載の発明による看板は、照明ユニットの正面側に光拡散部を有することで、光が光拡散部で拡散するため、看板本体正面の光むらをなくす効果がある。
【００１９】
請求項６記載の発明による看板は、照明ユニットに発光素子が背面側に傾けて配設してあることで、発光素子の照射光が反射板でより効率よく反射されるため、看板本体の正面がより明るく均一に照らされる。
【００２０】
請求項７記載の発明による看板は、照明ユニットに発光素子の照射光が反射及び透過し得る看板本体の外周側に向けて開放した光反射・透過部材を有することで、看板本体の正面を均一に照らすことができると共に、発光素子の照射光が看板本体の外周部まで届き易くなり、看板本体の外周部も照らすことができる。
【００２１】
請求項８記載の発明による看板は、照明ユニットに発光素子が凹陥部の長手方向に直交する方向に偶数列設けてあり、奇数列目の発光素子は正面側の凹陥部の長手方向に直交する方向の一方側に傾けて取付けてあり、偶数列目の発光素子は正面側の凹陥部の長手方向に直交する方向の他方側に傾けて取付けてあることで、発光素子の照射光及び看板本体背面の光反射部で反射した反射光により、看板本体の正面を効率よく均一に照らすことができる。
【００２２】
請求項９記載の発明による看板は、中間の列の発光素子の数を両端の列の発光素子の数よりも少なくしたことで、光むらを防止しつつコストを削減できる。
【図面の簡単な説明】
【００２３】
【図１】図２のＡ−Ａ断面図である。
【図２】本発明の看板の第１実施形態を示す正面図である。
【図３】（ａ）は第１実施形態の照明ユニットの正面図であり、（ｂ）は（ａ）のＢ−Ｂ断面図であり、（ｃ）は同照明ユニットの下面図である。
【図４】本発明の看板の第２実施形態を示す縦断面図である。
【図５】（ａ）は第２実施形態の照明ユニットの正面図であり、（ｂ）は（ａ）のＣ−Ｃ断面図であり、（ｃ）は同照明ユニットの下面図である。
【図６】第２実施形態の照明ユニットの光束イメージを示す図であって、（ａ）は看板本体の背面に光反射部を有する場合、（ｂ）は看板本体の背面に光反射部が無い場合を示す。
【図７】本発明の看板の第３実施形態を示す縦断面図である。
【図８】（ａ）は第３実施形態の照明ユニットの正面図であり、（ｂ）は（ａ）のＤ−Ｄ断面図である。
【発明を実施するための形態】
【００２４】
以下、本発明の実施の形態を図面に基づいて説明する。図１，２は、本発明の看板の第１実施形態を示しており、図３はこの看板に用いている照明ユニットを示している。この看板は、コンビニエンスストアの外壁の欄間位置に設置されるものであって、樹脂板を成形して横長の中空枕状に形成した看板本体１と、看板本体１の背面側に設けた凹陥部３内に設置した複数の照明ユニット２とを備える。本看板は、看板本体１の背面側の上部と下部に設けた懸架部材２９ａ，２９ｂにより、外壁面１１に取付けた上下２本のレール１２ａ，１２ｂに、着脱可能且つ左右方向に摺動可能に設置されている。
【００２５】
看板本体１は、図１に示すように、正面板１３と背面板１４を接合して形成されている。正面板１３は、乳白色の半透明な樹脂板よりなり、正面部に浮き出し模様１５を横縞状に形成し、その表面にカラーシート１６を貼って装飾されている。背面板１４は、透明な樹脂板よりなり、上下方向中央部に円弧状の溝状にくぼむ凹陥部３が左右方向に連続して形成されている。背面板１４の内面の凹陥部３を除く部分には、白色塗料を印刷により付着させて光反射部４を設けてある。光反射部４は、凹陥部３の近傍より上方及び下方に向かうにつれて正面側に傾斜している。また光反射部４は、表面がざらざらな艶消し状になっており、光反射部４に当たった光は正面側のランダムな方向に拡散反射する。
【００２６】
照明ユニット２は、図３に示すように、白色の樹脂で形成した底部ケース１７と透明な樹脂で形成したカバー１８とをネジ１９で結合して防水性を有するケースが構成され、ケース内の正面側に乳白色の半透明な樹脂板で形成したＬＥＤ取付板２０が配置してある。カバー１８の正面部には、梨地状のシボ加工６が施してある。
ＬＥＤ取付板２０には、背面側にＬＥＤ基板２１ａ，２１ｂ，２１ｃが左右方向に並べて上下２列取付けてあり、各ＬＥＤ基板２１ａ，２１ｂ，２１ｃに複数のＬＥＤ５ａ，５ｂ，５ｃが左右方向に間隔をおいて設けてある。上側に取付けたＬＥＤ基板２１ａ，２１ｂ，２１ｃは、図３（ｂ）に示すように下向きに傾斜しており、ＬＥＤ５ａ，５ｂ，５ｃからは背面側の斜め上向きに光が照射される。下側に取付けたＬＥＤ基板２１ａ，２１ｂ，２１ｃは、上向きに傾斜しており、ＬＥＤ５ａ，５ｂ，５ｃから背面側の斜め下向きに光が照射される。また、図３（ａ）に示すように、左右方向の端部側に位置するＬＥＤ基板２１ａ，２１ｂは、左右方向に対して傾けて配置してあって、これらのＬＥＤ基板２１ａ，２１ｂ上に取付けたＬＥＤ５ａ，５ｂから上下方向に対して外側に傾けて光が照射されるようにしている。さらに、左右方向の両端に位置するＬＥＤ基板２１ａには、図３（ｃ）に示すように、ＬＥＤ５ａが前後方向に２列配設してあり、したがって左右方向の中央部より端部側の方がＬＥＤの配設密度が大きくなっている。
ケース内のＬＥＤ５ａ，５ｂ，５ｃの背面側の位置には、ＬＥＤ５ａ，５ｂ，５ｃから照射される光に沿うように反射板２８が配置してあり、反射板２８はＬＥＤ取付板２０と共にＬＥＤ５ａ，５ｂ，５ｃからの光がより遠くまで届くようにするための鏡の役割を果たす。底部ケース１７内には電源回路２２が設けられ、電源回路２２からケーブル２３が左右に伸びており、ケーブル２３をコンセントに繋ぐことで各ＬＥＤ５ａ，５ｂ，５ｃが発光し、照明ユニット２の周囲全体に光が照射される。照明ユニット２は、図１に示すように、背面に設置した取付板２４により照明本体１の凹陥部３内に固定してある。複数の照明ユニット２，２，…は、図２に示すように、凹陥部３の長手方向に沿って間隔をおいて設けてあり、隣接する照明ユニット２，２のケーブル２３をコネクタ２５で繋いである。
【００２７】
以上に述べたように本看板は、図１に示すように、照明ユニット２内に左右方向に並べて配置したＬＥＤ５ａ，５ｂ，５ｃから上向きと下向きに、且つ背面側に少し傾けて光８が照射され、看板本体１の背面に正面側に傾けて配置した光反射部４でＬＥＤ５ａ，５ｂ，５ｃの照射光８が拡散反射することで、反射光９により看板本体１の正面側が上部から下部に亘って均一に照らされる。看板本体１の正面板１３は乳白色の半透明な樹脂板で形成してあるため、ＬＥＤの照射光８及び光反射部４で反射した光９は正面板１３を透過すると共に、何割かは正面板１３の内面で反射し、反射した光１０がさらに看板本体１背面の光反射部４や照明ユニット２のシボ加工６を施したカバー１８の正面部及びＬＥＤ取付板２０で拡散反射するため、看板本体１の正面板１３がむらなく全体的に発光する。また、照明ユニット２の長手方向端部側から斜め側方に光８を照射するように、端部のＬＥＤ５ａ，５ｂを側方に傾けて且つ中央部より多く配置してあることで、看板本体１の左右両側部や照明ユニット２同士の間の領域もむらなく照らすことができる。このように、ＬＥＤ５ａ，５ｂ，５ｃの光８を上向きと下向きに照射し、看板本体１背面の光反射部４で拡散反射させることで、ＬＥＤを正面向きに配置するよりもＬＥＤの数を格段に少なくすることができるため、製造コストやランニングコストを抑えることができ、しかも少ないＬＥＤで効率よく看板本体１の正面を均一に照らすことができる。また、看板本体１の凹陥部３に予め組立てた照明ユニット２を配設するだけなので、看板の設置やメンテナンスが容易に行える。さらに、看板本体１に開口部を設ける必要がないため、看板本体１内に雨水や虫等が浸入することがない。
【００２８】
図４は本発明の看板の第２実施形態を示しており、図５はこの看板の照明ユニット２を示している。看板本体１は第１実施形態のものと同じ構造であり、照明ユニット２の構造が第１実施形態のものと異なる。照明ユニット２は、図５に示すように、透明なカバー１８と底部ケース１７とでケースが構成され、ケース内に複数のＬＥＤ５ａ，５ｂ，５ｃが左右方向に間隔をおいて上下２列設けてある。上の列のＬＥＤ５ａ，５ｂ，５ｃは上向きに光を照射し、下の列のＬＥＤ５ａ，５ｂ，５ｃは下向きに光を照射する。図５（ａ）に示すように、左右方向の端部側に位置するＬＥＤ５ａ，５ｂは、上下方向に対して外側に傾けて配置してあり、左右両端に向かうにつれて傾く角度が大きくなっている。また、左右方向の中央部よりも端部側の方がＬＥＤ５ａ，５ｂ，５ｃの間隔が狭くなっている。
ケース内には、ＬＥＤ５ａ，５ｂ，５ｃを囲むように白色半透明樹脂で形成した光反射・透過部材７が上下二本設けてある。光反射・透過部材７は、上方と下方に向けてハの字形に拡がって開放している。カバー１８の正面部は湾曲した形になっており、その表面には梨地状のシボ加工６が施されている。
【００２９】
上述の照明ユニット２を用いた場合でも、図４に示すように、上向きと下向きに照射されるＬＥＤ５ａ，５ｂ，５ｃの光８が看板本体１背面の光反射部４で拡散反射することで、第１実施形態のものと同様に、反射光９，１０により看板本体１の正面側を少ないＬＥＤ５ａ，５ｂ，５ｃで効率よく均一に照らすことができる。図６は、第２実施形態の照明ユニット２による光束イメージを光反射部４が有る場合と無い場合で比較したもので、光反射部４を設けることで光束２７が上下方向に伸び且つ正面側にも拡がることが確認できる。なお、この点は第１実施形態についても同様である。さらに、ＬＥＤ５ａ，５ｂ，５ｃを囲むように上向きと下向きに拡開した光反射・透過部材７を設けたことで、照明ユニット２の上方と下方をより明るく照らすことができると共に、カバー１８の正面部のシボ加工６と相まって照明ユニット２の正面側にもＬＥＤ５ａ，５ｂ，５ｃの光を照射させられる。
【００３０】
図７は本発明の看板の第３実施形態を示しており、図８はこの看板の照明ユニット２を示している。看板本体１は第１実施形態のものと同じ構造であり、照明ユニット２の構造が第１実施形態のものと異なる。照明ユニット２は、図８に示すように、ケース内に正面側に突出する山形のＬＥＤ取付板２６が上下２本設けてあり、ＬＥＤ取付板２６上にＬＥＤ５ｄ，５ｅ，５ｆ，５ｇが左右方向に並べて上下に４列配設してあり、上から１列目と３列目のＬＥＤ５ｄ，５ｆは正面側の斜め上向きに光を照射し、上から２列目と４列目のＬＥＤ５ｅ，５ｇは正面側の斜め下向きに光を照射するようにしている。上から２列目と３列目のＬＥＤ５ｅ，５ｆは、照射光の範囲が重なるため、１列目と４列目よりも数を少なくしている。また各列のＬＥＤ５ｄ，５ｅ，５ｆ，５ｇ共、左右方向の端部側のものを上下方向に対して外側に傾けてあり、また左右方向の中央部よりも端部側の方がＬＥＤの間隔が狭くなっている。
【００３１】
上述の照明ユニット２を用いた場合、図７に示すように、ＬＥＤ５ｄ，５ｅ，５ｆ，５ｇの照射光８により看板本体１の正面側が直接照らされると共に、看板本体１背面の光反射部４で拡散反射した光９によっても看板本体１正面が照らされるため、第１，第２実施形態のものと同様に、看板本体１の正面を少ないＬＥＤ５ｄ，５ｅ，５ｆ，５ｇで効率よく均一に照らすことができる。
【００３２】
本発明は以上に述べた実施形態に限定されない。看板本体１の形態は任意であり、正方形のものや縦方向に長いものであってもよい。看板本体１の幅が広い場合には、背面側に凹陥部３を幅方向に間隔をおいて複数本形成し、各凹陥部３に照明ユニット２を配設することができる。凹陥部３は、看板本体１の長手方向に連続したものでなく、各照明ユニット２毎に独立して形成することもできる。看板本体１の光反射部４は、背面板１４の外面に反射板を貼り付けて形成することもできる。照明ユニット２のＬＥＤ５ａ，５ｂ，…の配置や向きは、看板本体１の大きさや形状等に応じて適宜変更することができる。また照明ユニット２は、発光素子としてＬＥＤ以外にも有機ＥＬや無機ＥＬ等を用いることができる。本発明の看板は、壁に付けるのではなく、支柱等に支持して設置することもでき、また背中合わせに設置して表裏両面が発光するようにもできる。
【符号の説明】
【００３３】
１  看板本体
２  照明ユニット
３  凹陥部
４  光反射部
５ａ，５ｂ，５ｃ，５ｄ，５ｅ，５ｆ，５ｇ  ＬＥＤ（発光素子）  
６  シボ加工（光拡散部）
７  光反射・透過部材
８  ＬＥＤの照射光
９，１０  反射光
【図１】
2011221375.tif 000003
【図２】
2011221375.tif 000004
【図３】
2011221375.tif 000005
【図４】
2011221375.tif 000006
【図５】
2011221375.tif 000007
【図６】
2011221375.tif 000008
【図７】
2011221375.tif 000009
【図８】
2011221375.tif 000010